(57)【要約】【課題】中錘及び天秤錘として使用することができる錘１０の提供。【解決手段】長尺の錘本体１２と、この錘本体１２の内部を、長手方向の一端部から他端部まで延びるように取り付けられたワイヤ１４とを備えており、このワイヤ１４の各端部に、ライン１及びハリス２を接続するためのリング１８、２０が形成されており、上記錘本体１２の長手方向の中間位置から一方の端部にかけて、上記ワイヤ１４が露出しうるように切り欠き２４が形成されており、この切り欠き２４が、錘本体１２の楕円形横断面において、長径ＬＤと短径ＳＤとに囲まれた１／４区画であって、ワイヤ１４が挿通されたトンネル１６と連通する区画が切除されたものである。【選択図】図１
2011223887.tif 000002
【特許請求の範囲】
【請求項１】
長尺の錘本体と、
この錘本体の内部に、長手方向の一端部から他端部まで延びるように取り付けられたワイヤとを備えており、
上記錘本体の長手方向の中間位置から一方の端部にかけて、上記ワイヤが露出しうる外方への通路が形成されており、
上記ワイヤの各端部に、糸を接続するための接続部が形成されている釣り用錘。
【請求項２】
上記通路が、錘本体の長手方向の中間位置から一方の端部にかけて形成された、上記ワイヤの挿通部から外方に通じるスリットである請求項１に記載の釣り用錘。
【請求項３】
上記通路が、錘本体の長手方向の中間位置から一方の端部にかけて形成された、上記ワイヤの挿通部から外方に通じる切り欠きであり、
この切り欠きが、錘本体の横断面において、ワイヤの挿通部を中心として外方に向けて開き角度を持っている請求項１に記載の釣り用錘。
【請求項４】
上記通路の長さが、錘本体の全長の４０％から８０％のうちのいずれかである請求項１から３のうちのいずれかに記載の釣り用錘。
【発明の詳細な説明】
【技術分野】
【０００１】
本発明は釣り用錘に関する。本発明は、例えばイカ釣りに際してエギ（疑似餌）とともに用いられるような釣り用錘に関する。
【背景技術】
【０００２】
「エギング」と称されるイカ釣りが、盛んに行われている。このイカ釣りには、図５に示すように、エギ３が用いられる。この場合、ライン１に中錘５０が取り付けられることがある。中錘５０は、一般的に長尺の錘であり、その上下各端部に糸の接続部であるサルカンと呼ばれるリング５２が取り付けられている。この中錘５０は、一般的にライン１とハリス２との接続部分に取り付けられる。この場合、ハリス２の先端にエギ３が取り付けられる。
【０００３】
縦長の中錘５０は、水の抵抗が少ないので、水底までの落下（フォール）が速い。従って、船釣りにおいて、ポイントに至ってすぐに仕掛けを水底近くまで送り込みたい場合に有効である。例えば、船釣りにおいて、風上に船首を向けて行ういわゆる「縦流し」の釣りに好適である。釣竿からの力が、ハリス２、ひいてはエギ３に直接的に伝わりやすい。いわゆる「しゃくり」によってエギ３のシャープなジャンピングが可能となる。
【０００４】
しかしながら、上記中錘５０を使用した場合、ライン１とハリス２とが中錘５０を介して、いわば一直線に連結される。従って、「フォール」や「しゃくり」のときに、エギ３が中錘５０より上方に位置することにより、ライン１とハリス２とが互いに近づいて絡み合うおそれがある。
【０００５】
一方、イカ釣りには、上記中錘に代えて、図６に示すような天秤錘５４が用いられることがある。例えば、Ｌ型天秤錘は、ワイヤがＬ字状に屈曲されて形成された天秤５６の中央交点に錘５８が取り付けられたものである。この天秤錘５４では、天秤５６の各端部のリング６０に接続されたライン１とハリス２とが一直線にならずに離れるので、これらが絡み合うことが抑制される。また、ハリス２以下エギ３までがいわゆるフカセ状態となり、イカにとって違和感がないと予想される。
【０００６】
しかしながら、この天秤錘５４は、上記中錘５０に比べると、その形状に起因して空気抵抗及び水の抵抗が大きい。その結果、フォール時の速度は上記中錘５０の場合に比べると遅くなる。以上を考慮すると、この天秤錘５４は、ライン１が引っ張られながら傾斜した状態で用いられるのに好適である。例えば、船釣りにおいて、船が横風を受けて流されながら行ういわゆる「横流し」の釣りに好適である。
【０００７】
このように、イカ釣りの釣り人は、潮の流れの強さ及び方向、水深、水温、イカの活性、エギに与える動作等の状況に応じ、上記中錘、天秤錘等、適切な錘を選択する必要に迫られる。なお、中錘としては、例えば実用新案登録第３１４７４０４号公報に開示されたものが知られている。
【先行技術文献】
【特許文献】
【０００８】
【特許文献１】実用新案登録第３１４７４０４号公報
【発明の概要】
【発明が解決しようとする課題】
【０００９】
本発明は、以上の現状に鑑みてなされたものであり、釣り場の状況等に応じて、中錘としても天秤錘としても使用することのできる釣り用錘を提供することを目的としている。
【課題を解決するための手段】
【００１０】
本発明に係る釣り用錘は、
長尺の錘本体と、この錘本体の内部に、長手方向の一端部から他端部まで延びるように取り付けられたワイヤとを備えており、
上記錘本体の長手方向の中間位置から一方の端部にかけて、上記ワイヤが露出しうる外方への通路が形成されており、上記ワイヤの各端部に、糸を接続するための接続部が形成されている。
【００１１】
かかる構成の錘は、そのままの状態で、ワイヤの一端部にラインが接続され、他端部にハリスが接続されると、中錘として使用されうる。また、ワイヤが上記中間位置から外方へ突出するように折り曲げられると、天秤錘として使用されうる。なお、上記「中間位置」とは、錘本体の長さを二分する点である中央位置には限定されず、一端から他端の間の、一端及び他端を含まないいずれかの位置を意味している。
【００１２】
上記通路が、錘本体の長手方向の中間位置から一方の端部にかけて形成された、上記ワイヤの挿通部から外方に通じるスリットであってもよい。
【００１３】
上記通路が、錘本体の長手方向の中間位置から一方の端部にかけて形成された、上記ワイヤの挿通部から外方に通じる切り欠きであり、
この切り欠きが、錘本体の横断面において、ワイヤの挿通部を中心として外方に向けて開き角度を持ったものであってもよい。
【００１４】
上記通路の長さが、錘本体の全長の４０％から８０％のうちのいずれかであるのが好ましい。
【発明の効果】
【００１５】
本発明に係る錘は、釣り場の状況等に応じて、少なくとも中錘及び天秤錘として使用することができる。
【図面の簡単な説明】
【００１６】
【図１】図１（ａ）は、本発明に係る錘の一実施形態を示す正面図であり、図１（ｂ）は図１（ａ）のＩＢ−ＩＢ線断面図であり、図１（ｃ）は図１（ａ）のＩＣ−ＩＣ線断面図である。
【図２】図２は、図１の錘を用いてエギをフォールしている状態を概略的に示す説明図である。
【図３】図３は、ワイヤが外方へ屈曲された状態の図１の錘を用いてエギをフォールしている状態を概略的に示す説明図である。
【図４】図４（ａ）は、本発明に係る錘の他の実施形態を示す正面図であり、図４（ｂ）は図４（ａ）のIVＢ−IVＢ線断面図であり、図４（ｃ）は図４（ａ）のIVＣ−IVＣ線断面図である。
【図５】図５は、従来の中錘を用いてエギをフォールしている状態を概略的に示す説明図である。
【図６】図６は、従来の天秤錘を用いてエギをフォールしている状態を概略的に示す説明図である。
【発明を実施するための形態】
【００１７】
以下、適宜図面が参照されつつ、好ましい実施形態に基づいて本発明が詳細に説明される。
【００１８】
図１に示された錘１０は、長尺の錘本体１２と、この錘本体１２の内部に、長手方向の一端部から他端部まで延びるように取り付けられたワイヤ１４とを備えている。典型的には、錘本体１２は、鉛、鉛合金等から形成されており、ワイヤ１４は、ステンレス鋼線等から形成されている。
【００１９】
上記錘本体１２は、その横断面がほぼ楕円形を呈しているが、かかる形状には限定されない。円形、長円形、隅部が面取りされたりアールが取られたりした矩形等であってもよい。上記ワイヤ１４は錘本体１２とほぼ同じ長さを有している。ワイヤ１４は、上記錘本体１２の横断面のほぼ中央部を長手方向に貫通するワイヤ挿通部たるトンネル１６内に挿通されている（図１（ｂ））。トンネル１６の内径は、ワイヤ１４の外径よりわずかに大きくてもよく、又は、ワイヤ１４がトンネル内に密着するようにワイヤ１４の外径とほぼ同一にされてもよい。
【００２０】
ワイヤ１４の両端部にはライン１やハリス２という糸を接続するための、サルカンと呼ばれるリング１８、２０が取り付けられている。上端のリング１８にライン１が接続され、下端のリング２０にハリス２が接続され、ハリス２の先端にエギ３が接続されている。エギ３の形状はエビに類似している。
【００２１】
上記錘本体１２の長手方向の中間位置から一方の端部にかけて、上記ワイヤ１４が外部へ露出しうる通路としての切り欠き２４が形成されている。本実施形態では、この切り欠き２４は、錘本体１２の横断面において長径ＬＤと短径ＳＤとに囲まれた１／４区画が切除されたものである（図１（ｃ））。切り欠きはかかる形状には限定されない。例えば、長径ＬＤに沿って１／２区画が切除された形状であってもよく、１／４から１／２の間のいずれかの区画が切除されたものであってもよい。
【００２２】
この切り欠き２４の長さＬ２は、錘本体１２の長さＬ１の約４５％にされているが、かかる構成には限定されない。切り欠き２４の長さＬ２は、錘本体１２の長さＬ１の４０％から８０％の範囲であるのが好ましい。換言すれば、この切り欠き２４は、錘本体１２の一端部から、全長の２０％から６０％までのいずれかの位置（上記中間位置）から他端部まで形成されているのが好ましい。これは、錘本体１２がワイヤ１４をしっかりと保持することができ、そして、後述するように天秤錘としての機能を効果的に発揮することが期待できるからである。
【００２３】
上記切り欠き２４は、通路と称されるように、ワイヤ１４が屈曲されることによって外方へ突出するように通過することができる。ワイヤ１４は、図１（ｃ）で示された長径ＬＤと短径ＳＤとがなす９０°の範囲のいずれの方向にも屈曲されうる。
【００２４】
図２には、この錘１０を用いてエギ３がフォールされている状態が概略的に示されている。この錘１０は、その上端のリング１８にライン１が接続され、下端のリング２０にハリス２が接続され、ハリス２の先端にエギ３が接続されることにより、従来の中錘としての機能が奏される。すなわち、水の抵抗が少ないので、フォールの速度が速い。また、エギ３のシャープなジャンピングが可能となる。
【００２５】
図３には、ワイヤ１４が切り欠き２４の端部位置から外方へ向けて屈曲された状態の錘１０が示されている。この状態の錘１０は、天秤錘としての外形を呈し、天秤錘としての機能も発揮しうる。ワイヤ１４の屈曲されて外方へ突出した部分が天秤の腕部分となる。この錘１０によれば、フォール時やバンピング時に、上端のリング１８に接続されたライン１と、下端のリング２０に接続されたハリス２とが離れているので、絡み合うことが抑制されうる。しかし、フォール時の速度は上記中錘として用いられる場合に比べると遅くなる。ワイヤ１４の屈曲角度は任意に設定されうる。例えば、ワイヤ１４が９０°に屈曲された錘１０はＬ型天秤錘となる。
【００２６】
図４には他の錘２６が示されている。この錘２６も、長尺の錘本体２８と、この錘本体２８の内部に、長手方向の一端部から他端部まで延びるように取り付けられたワイヤ１４とを備えている。この錘２６が図１の錘１０と異なる点は、ワイヤ１４の通路として、切り欠き２４（図１）に代えてスリット３０が錘本体２８に形成されていることである。その他の構成は互いに同一であるため、同一構成要素には同一符号を付してその説明を省略する。
【００２７】
このスリット３０の長さＬ３も、錘本体１２の長さＬ１の約４５％の長さにされている（図４（ａ））。しかし、上記切り欠き２４と同様、４５％には限定されず、錘本体１２の長さＬ１の４０％から８０％の範囲であるのが好ましい。このスリット３０は、錘本体１２の横断面における中央のトンネル１６から長径ＬＤ方向に外方へ連通したものである（図４（ｃ））。スリット３０の幅は、ワイヤ１４の外径よりわずかに大きい寸法である。この錘２６においても、ワイヤ１４は、スリット３０の起点において外方へ屈曲されうる（図４（ａ）の二点鎖線）。その結果、この錘２６も、天秤錘としての外形を呈し、天秤錘としての機能を発揮しうる。
【００２８】
スリット３０の横断面形状は上記には限定されない。例えば、中央のトンネル１６から、短径ＳＤ方向、又は、短径ＳＤと長径ＬＤとの間のいずれかの方向に外方へ連通したものであってもよい。スリット３０の幅は、ワイヤ１４の外径より大きくてもよい。スリット３０の幅は、外方に向けて角度を持って拡大するものであってもよい。換言すれば、トンネル１６を中心に、０°から１８０°のうちの一の開き角度を持つスリットである。このような開き角度を持つスリットの場合、スリットのみならず、前述した切り欠きをも含む概念となる。例えば、上記開き角度が９０°のスリットは、図１の錘本体１２の切り欠き２４を含むことになる。
【００２９】
以上の実施形態では、エギを用いたイカ釣り用の錘を例示しているが、上記錘はかかる適用には限定されない。イカ以外の対象にも十分に適用可能である。
【産業上の利用可能性】
【００３０】
本発明に係る錘は、少なくとも中錘及び天秤錘として使用することができるので、いわゆる縦流しや横流しの機会のある船釣りに好適である。
【符号の説明】
【００３１】
１・・・ライン
２・・・ハリス
３・・・エギ
１０・・・錘
１２・・・錘本体
１４・・・ワイヤ
１６・・・トンネル
１８・・・（上端の）リング
２０・・・（下端の）リング
２４・・・切り欠き
２６・・・錘
２８・・・錘本体
３０・・・スリット
Ｌ１・・・錘本体の長さ
Ｌ２・・・切り欠きの長さ
Ｌ３・・・スリットの長さ
ＬＤ・・・錘本体の横断面の長径
ＳＤ・・・錘本体の横断面の短径
【図１】
2011223887.tif 000003
【図２】
2011223887.tif 000004
【図３】
2011223887.tif 000005
【図４】
2011223887.tif 000006
【図５】
2011223887.tif 000007
【図６】
2011223887.tif 000008